(57)【要約】【課題】ランプ位置の調整作業を容易とし、また調整作業に要する時間を短縮できる照射装置を提供すること。【解決手段】紫外線ランプ２２を収容する内部灯体２０と、前記内部灯体２０を引出自在に収めた外部灯体２と、を有し、前記紫外線ランプ２２の光を照射する紫外線照射装置１において、前記内部灯体２０は、前記紫外線ランプ２２の位置を調整する２軸調整機構４４を備え、前記２軸調整機構４４は、操作工具７０、７１によって操作可能であり、前記外部灯体２には、前記２軸調整機構４４に対応する位置に、前記操作工具７０、７１を挿入する工具挿入孔８０、８１が設けられている。【選択図】図２
2018048828.tif 000002
【特許請求の範囲】
【請求項１】
放電ランプを収容するランプ収容体と、前記ランプ収容体を取出自在に収めた装置筐体と、を有し、前記放電ランプの光を照射する照射装置において、
前記ランプ収容体は、前記放電ランプの位置を調整する調整機構を備え、
前記調整機構は、操作工具によって操作可能であり、
前記装置筐体には、前記調整機構に対応する位置に、前記操作工具を挿入する工具挿入孔が設けられている、
ことを特徴とする照射装置。
【請求項２】
前記装置筐体には、前記操作工具の先端部を包囲しながら当該先端部を前記調整機構に向けて案内する筒状のガイドが設けられている、
ことを特徴とする請求項１に記載の照射装置。
【請求項３】
前記調整機構は、
前記放電ランプとの間を電気的に絶縁する絶縁材を備える、
ことを特徴とする請求項１または２に記載の照射装置。
【請求項４】
前記放電ランプは、直線状に延びており、
前記ランプ収容体の中には、前記放電ランプを挟む両側に配置された反射鏡が設けられており、
前記調整機構は、
前記放電ランプから被照射面までの距離を変化させる第１方向、及び／又は、前記被照射面までの距離を変えずに前記放電ランプと両側の反射鏡までの距離を変化させる第２方向に前記放電ランプを移動する、
ことを特徴とする請求項１〜３のいずれかに記載の照射装置。
【発明の詳細な説明】
【技術分野】
【０００１】
本発明は、照射装置に関する。
【背景技術】
【０００２】
放電ランプを備え、この放電ランプの光を被照射物に照射する照射装置において、放電ランプの位置を調整するランプ位置調整機構を備えたものが知られている（例えば特許文献１、及び特許文献２参照）。
この照射装置では、ランプ位置調整機構の調整によってランプの位置を調整し、放電ランプと被照射面の距離を変更することで、被照射面における照度分布や照射範囲などの光学特性を適宜に変更できる。
【０００３】
また、ランプ調整機構を備えた照射装置において、放電ランプ、及び紫外線を透過させる窓材を収納するランプハウスを備え、このランプハウスが、放電ランプを収容する第１収容体と、窓材を収納する第２収容体とを着脱可能に組み合わせて構成されたものも知られている（例えば特許文献３参照）。
この照射装置によれば、ランプ交換等のランプ関連のメンテナンスをする場合、第１収容体から第２収容体を外して作業ができるので、ランプ関連のメンテナンス作業性を向上できる。
【先行技術文献】
【特許文献】
【０００４】
【特許文献１】特開２００８−１０１９４７号公報
【特許文献２】特開２０１６−４７１１号公報
【特許文献３】特開２００９−６６５７７号公報
【発明の概要】
【発明が解決しようとする課題】
【０００５】
ところで、通常、ランプ関連のメンテナンス作業後には、被照射面における光学特性を所定特性にするためにランプ位置の調整作業が行われる。しかしながら、このランプ位置の調整作業は、非常に煩雑であり、また時間を要するものであった。
【０００６】
特許文献３の照射装置におけるランプ位置の調整作業を説明すると、先ず、作業者は、放電ランプを点灯し、当該放電ランプの点灯状態（放射光量等）が安定するまで待った後、被照射面での光学特性を測定する。
この測定において、所定特性が得られてない場合、作業者は、放電ランプを消灯し、当該放電ランプが十分に冷えた後（いわゆるアフタークール）、放電ランプを収めた収容体を装置本体から取り外す。そして、作業者は、収容体に設けられたランプ位置調整機構を用いてランプの位置を調整し、その後、収容体を装置本体に取り付ける。作業者は、これら一連の作業を、被照射面で所定特性が得られるまで繰り返し行うことになる。
【０００７】
本発明は、ランプ位置の調整作業を容易とし、また調整作業に要する時間を短縮できる照射装置を提供することを目的とする。
【課題を解決するための手段】
【０００８】
本発明は、放電ランプを収容するランプ収容体と、前記ランプ収容体を取出自在に収めた装置筐体と、を有し、前記放電ランプの光を照射する照射装置において、前記ランプ収容体は、前記放電ランプの位置を調整する調整機構を備え、前記調整機構は、操作工具によって操作可能であり、前記装置筐体には、前記調整機構に対応する位置に、前記操作工具を挿入する工具挿入孔が設けられている、ことを特徴とする。
【０００９】
本発明は、上記照射装置において、前記装置筐体には、前記操作工具の先端部を包囲しながら当該先端部を前記調整機構に向けて案内する筒状のガイドが設けられている、ことを特徴とする。
【００１０】
本発明は、上記照射装置において、前記調整機構は、前記放電ランプとの間を電気的に絶縁する絶縁材を備える、ことを特徴とする。
【００１１】
本発明は、上記照射装置において、前記放電ランプは、直線状に延びており、前記ランプ収容体の中には、前記放電ランプを挟む両側に配置された反射鏡が設けられており、前記調整機構は、前記放電ランプから被照射面までの距離を変化させる第１方向、及び／又は、前記被照射面までの距離を変えずに前記放電ランプと両側の反射鏡までの距離を変化させる第２方向に前記放電ランプを移動する、ことを特徴とする。
【発明の効果】
【００１２】
本発明によれば、ランプ位置の調整作業を容易とし、また調整作業に要する時間を短縮できる。
【図面の簡単な説明】
【００１３】
【図１】本発明の実施形態に係る紫外線照射装置の構成を概略的に示す図である。
【図２】図１のＩＩ−ＩＩ断面の構成を概略的に示す図である。
【図３】図１におけるランプ保持機構の拡大図である。
【図４】図２におけるランプ保持機構の拡大図である。
【図５】ランプ位置調整の作業手順のフローチャートである。
【発明を実施するための形態】
【００１４】
以下、図面を参照して本発明の実施形態について説明する。本実施形態では、本発明に係る照射装置として、液晶パネルが備える光配向膜の光配向処理に用いられる紫外線照射装置を例示する。
【００１５】
図１は、本実施形態に係る紫外線照射装置１の構成を概略的に示す図であり、図２は、図１のＩＩ−ＩＩ断面の構成を概略的に示す図である。
紫外線照射装置１は、液晶パネル（以下、ワークという）に紫外線を照射する装置であり、これらの図に示すように、外部灯体２と、偏光子ユニット４と、を備えている。
外部灯体２は、照射の筐体に相当し、金属板を組み合わせて略直方体状に形成されており、その底面２Ａには、紫外線を出射する外部灯体出射口３（図２）が開口している。
【００１６】
偏光子ユニット４は、外部灯体２の底面２Ａに配置されている。すなわち、偏光子ユニット４は、外部灯体２の底面２Ａに設けられ、外部灯体出射口３を覆うフィルタ枠６と、このフィルタ枠６に支持された偏光子フィルタ８と、を備えている。偏光子フィルタ８は、入射した紫外線を偏光する光学フィルタであり、ワイヤーグリッド偏光子が用いられている。
【００１７】
そして、偏光子ユニット４によって偏光された紫外線が、ワークである液晶パネルの光配向膜に照射されることで、当該光配向膜が配向される。
【００１８】
また外部灯体２の外側には、図１に示すように、電気接続箱１０と、送風筒１２と、排風筒１４と、が設けられている。
電気接続箱１０は、外部電力を伝送する電線が接続される端子部１０Ａ（図１）を内蔵した箱体であり、外部灯体２の上面２Ｂに設けられている。
送風筒１２には、外部灯体２の中に冷却空気１３を送り込む送風ダクトが接続され、排風筒１４には、外部灯体２の中を循環した空気１５を排出する排風ダクトが接続される。これら送風筒１２、及び排風筒１４も、外部灯体２の上面２Ｂに設けられている。
【００１９】
一方、外部灯体２の中には、図１、及び図２に示すように、内部灯体２０と、フィルタユニット２７とが収められている。
内部灯体２０は外部灯体２と独立したケースであり、この内部灯体２０の中には、紫外線ランプ２２、ランプ保持機構４０、及び反射鏡２４（図１では図示を省略）が収められている。内部灯体２０は、例えば金属板を組み合わせて略直方体状に形成され、その底面２０Ａには内部灯体出射口２５（図２）が開口している。
【００２０】
紫外線ランプ２２は、直管形の放電ランプであり、線状に光を放射する。この紫外線ランプ２２には、例えば水銀灯やＨＩＤランプなどが用いられる。またＨＩＤランプの中では、メタルハライドランプやガリウムランプが好適に用いられる。
図１に示すように、紫外線ランプ２２は、内部灯体２０の長軸方向Ａに沿って配置されている。
【００２１】
ランプ保持機構４０は、紫外線ランプ２２の端部を内部灯体２０の中で保持する機構である。
図１に示すように、内部灯体２０の内部は、その長軸方向Ａにおける両端が仕切板２１、２１で仕切られており、仕切板２１、２１の各々と内部灯体２０の端面２０Ｃとの間のそれぞれの空間にランプ保持機構４０が設けられている。仕切板２１、２１は板金によって形成され、これら仕切板２１、２１には、図２に示すように、紫外線ランプ２２の端部２２Ａを通すスリット２３が設けられている。すなわち、紫外線ランプ２２は、一対の仕切板２１、２１の間に配置され、このとき、紫外線ランプ２２の端部２２Ａがスリット２３から突出し、それぞれの端部がランプ保持機構４０に保持される。このランプ保持機構４０は、紫外線ランプ２２の位置を調整する機能を備えており、詳細は後述する。
【００２２】
反射鏡２４は、内部灯体２０の内部に固定され、紫外線ランプ２２の放射光を反射によって制御する光学ミラーである。反射鏡２４は、紫外線ランプ２２の長軸方向に沿って延在し、紫外線ランプ２２から線状に放射される紫外線の反射を制御する。この紫外線照射装置１では、集光光学系である楕円面鏡が反射鏡２４に用いられている。
【００２３】
また内部灯体２０の上面２０Ｂには、図１、及び図２に示すように、一対のランプ給電用碍子２６、２６が突設されている。これらランプ給電用碍子２６、２６は、紫外線ランプ２２の電極間に印加する点灯電圧の入力端子である。ランプ給電用碍子２６、２６は、配線２８によって、上記電気接続箱１０の端子部１０Ａと電気的に接続されており、当該電気接続箱１０から点灯電圧がランプ給電用碍子２６、２６に入力される。
【００２４】
フィルタユニット２７は、外部灯体２の中において、内部灯体２０の下方に配置されており、内部灯体出射口２５から出射された紫外線ランプ２２の光が入射される。このフィルタユニット２７は、外部灯体２に固定されたフィルタ枠３０と、このフィルタ枠３０に収められた波長選択フィルタ３２と、を備えている。
【００２５】
波長選択フィルタ３２は、入射光のうち所定波長の光を透過し、それ以外の光を透過しない光学フィルタである。フィルタユニット２７を透過した光は、外部灯体２の外部灯体出射口３から出射され、上述した偏光子ユニット４に入射される。
波長選択フィルタ３２が透過する所定波長は、紫外線照射装置１の使用用途に応じて適宜に設定され、本実施形態では、液晶パネルの光配向処理に適した波長が設定されている。
なお、フィルタユニット２７は、波長選択フィルタ３２に代えて、或いは、波長選択フィルタ３２に加えて、所定の性質を持つ光を透過し、それ以外の光を透過しない任意の光学フィルタを備えてもよい。
【００２６】
紫外線照射装置１では、内部灯体２０が外部灯体２から長軸方向Ａに引出自在に構成されている。
詳述すると、内部灯体２０は、外部灯体２の中に互いの長軸方向Ａを合わせて収められ、外部灯体２の端面２Ｃ（図１）には、図２に示すように、内部灯体２０を引出す灯体引出口３６が設けられている。この灯体引出口３６は、例えば開閉扉などの閉塞部材で閉じられている。
外部灯体２の内側では、長軸方向Ａを挟む内側面２Ｄ、２Ｄのそれぞれに、長軸方向Ａに平行に延びたガイドレール３８、３８が設けられている。一方、内部灯体２０は、外部灯体２の内側面２Ｄ、２Ｄに対面する側面２０Ｄ、２０Ｄの各々にガイドローラ３９、３９が設けられている。これらガイドローラ３９、３９がガイドレール３８、３８に支持されることで、外部灯体２の中に内部灯体２０が長軸方向Ａに移動自在に設けられる。
【００２７】
ランプ交換等のメンテナンス作業時には、作業者が灯体引出口３６から内部灯体２０を長軸方向Ａに引っ張ることで、ガイドローラ３９がガイドレール３８を滑り、図１に仮想線で示すように、内部灯体２０が外部灯体２から引き出される。なお、作業者は、内部灯体２０を外部灯体２から引き出す場合、ランプ給電用碍子２６、２６と電気接続箱１０の端子部１０Ａとを繋ぐ配線２８を予め外しておく。
【００２８】
次いで、上述したランプ保持機構４０を詳述する。
図３は図１におけるランプ保持機構４０の拡大図であり、図４は図２におけるランプ保持機構４０の拡大図である。
ランプ保持機構４０は、上述の通り、紫外線ランプ２２を保持するものであり、さらに紫外線ランプ２２の位置を調整可能に構成されている。具体的には、ランプ保持機構４０は、図３、及び図４に示すように、紫外線ランプ２２を保持するランプホルダ４２と、ランプホルダ４２を二軸方向に移動する２軸調整機構４４とを備えている。
【００２９】
ランプホルダ４２は、第１パーツ４２Ａ、及び第２パーツ４２Ｂを備え、これらが上下に分割可能に組み合わせられ、ランプホルダ固定ネジ４６（図４）によって締結されている。ランプホルダ４２は、これら第１パーツ４２Ａ、及び第２パーツ４２Ｂの間に紫外線ランプ２２の端部２２Ａを挟んで保持する。
【００３０】
２軸調整機構４４は、ランプホルダ４２に結合され、このランプホルダ４２を互いに直交する二軸方向に移動する。二軸方向の一方は、内部灯体２０の上面２０Ｂから紫外線ランプ２２までの距離を可変する方向（以下「上下方向」と言い、符号Ｂを付す）である。二軸方向の他の一方は、上下方向Ｂの位置を変えずに内部灯体２０の左右の側面２０Ｄの間でのランプホルダ４２の位置を可変する方向（以下、「左右方向」と言い、符号Ｃを付す：図４）である。
ランプホルダ４２が上下方向、及び左右方向に移動することで、内部灯体２０に固定された反射鏡２４と紫外線ランプ２２の相対位置、及び、紫外線ランプ２２から被照射面までの距離が変わり、これにより、被照射面での光学特性（照度分布や照射範囲など）が変化することになる。また紫外線ランプ２２を反射鏡２４に対し左右方向Ｃにも相対移動できるので、反射鏡２４の光学設計軸（例えば焦点を含む上下方向Ｂの軸）からの紫外線ランプ２２の位置ずれを無くす調整が可能となり、当該位置ずれによる被照射面での照度ムラ等を調整によって効果的に抑えることができる。
【００３１】
本実施形態において、２軸調整機構４４は、図３、及び図４に示すように、ホルダ保持部材４８と、ブラケット５０と、上下調整用回転軸５４と、左右調整用回転軸６０と、を備えている。
【００３２】
ホルダ保持部材４８は、上記ランプホルダ４２を保持する部材であり、上下調整用回転軸５４の回転に応じて上下移動する金属製の上下移動ステージ４７を備えている。さらに、このホルダ保持部材４８は、上下移動ステージ４７の取付面４７Ａの全体を覆う厚板状の絶縁材４９を備え、ランプホルダ４２は、この絶縁材４９に結合される。これにより、ランプホルダ４２と、上下移動ステージ４７が結合された２軸調整機構４４との間が絶縁材４９によって電気的に絶縁される。したがって、紫外線ランプ２２に印加されている高電圧の点灯電圧がランプホルダ４２を通じて２軸調整機構４４に加わることがない。
【００３３】
このブラケット５０は、図４に示すように、内部灯体２０の上面２０Ｂの内側に結合された上記左右方向Ｃに長い部材であり、このブラケット５０にホルダ保持部材４８が結合される。
具体的には、ブラケット５０には、上下方向Ｂの下方向に延びた複数の上下ガイドシャフト５２が設けられており、ホルダ保持部材４８は、これらの上下ガイドシャフト５２に挿入され、上下方向Ｂの移動が案内される。
【００３４】
また、上述の上下調整用回転軸５４は、いわゆる、ねじ軸であり、図４に示すように、内部灯体２０の上面２０Ｂを上下方向Ｂに貫通して延び、抜け止め５３、５３によって抜け止めされている。
この上下調整用回転軸５４には、ホルダ保持部材４８の上述の上下移動ステージ４７が螺合している。上下移動ステージ４７は、上下調整用回転軸５４の回転によって移動する、いわゆるトラベリングナットであり、これにより、上下調整用回転軸５４の回転によって、ホルダ保持部材４８がランプホルダ４２とともに、上下ガイドシャフト５２に沿って上下方向Ｂに移動する。
この上下移動ステージ４７には、上下方向Ｂの移動を固定するロックネジ５１が設けられている。
【００３５】
ここで、ホルダ保持部材４８の上記絶縁材４９には、図４に示すように、上下移動ステージ４７を貫通した上下調整用回転軸５４の下方の先端部５４Ａを受ける凹部４９Ａが形成されている。この凹部４９Ａは、上下調整用回転軸５４の径よりも大きく、凹部４９Ａと上下調整用回転軸５４との間には隙間が設けられており、上下調整用回転軸５４と、ランプホルダ４２との間が良好に電気的に絶縁されている。
なお、上下調整用回転軸５４の先端部５４Ａの先端５４Ａ１が凹部４９Ａに当接した状態が、上下方向Ｂにおいて、上下移動ステージ４７（ホルダ保持部材４８）を最も高い位置に配置した状態となる。
【００３６】
次いで、ランプホルダ４２の左右方向Ｃの移動を説明する。
上述のブラケット５０は、図４に示すように、左右ガイドシャフト５８によって内部灯体２０の上面２０Ｂに結合され、また、このブラケット５０を上述の上下調整用回転軸５４が貫通している。内部灯体２０の上面２０Ｂには、左右ガイドシャフト５８、及び上下調整用回転軸５４のそれぞれの貫通箇所に、それぞれの左右方向Ｃへの移動を可能にする長孔スリットが設けられている。
一方、ブラケット５０には、上述の左右調整用回転軸６０の先端部６０Ａが結合されている。左右調整用回転軸６０は、いわゆる、ねじ軸であり、内部灯体２０の側面２０Ｄを左右方向Ｃに貫通して延び、抜け止め５９、５９によって抜け止めされている。
したがって、左右調整用回転軸６０が回転すると、この回転に伴ってブラケット５０が、上下調整用回転軸５４、ホルダ保持部材４８、及びランプホルダ４２とともに左右方向Ｃに移動することとなる。
なお、左右方向Ｃにおける調整量の最大値は、内部灯体２０の上面２０Ｂに設けられた上記の長孔スリットの寸法によって規制される。
【００３７】
図４に示すように、上下調整用回転軸５４の上方側の先端部５４Ｂ、及び左右調整用回転軸６０の右方側の先端部６０Ｂは、それぞれ内部灯体２０の外側に突出し、これら先端部５４Ｂ、６０Ｂは、操作工具７０、７１の先端部７０Ａ、７１Ａと係合可能な形状、或いは構造を有している。
すなわち、ランプ位置調整においては、これら操作工具７０、７１を、上下調整用回転軸５４の先端部５４Ｂ、及び左右調整用回転軸６０の先端部６０Ｂに係合させ、操作工具７０、７１を用いて上下調整用回転軸５４、及び左右調整用回転軸６０を回転させることができる。勿論、作業者が操作工具７０、７１を用いずに、手などで直接、回転させることもできる。
【００３８】
ここで、紫外線照射装置１は、これら上下調整用回転軸５４、及び左右調整用回転軸６０の回転操作を、外部灯体２に内部灯体２０を収めたままの状態で可能に構成されている。
【００３９】
詳述すると、紫外線照射装置１の外部灯体２には、図２に示すように、上下調整用回転軸５４、及び左右調整用回転軸６０のそれぞれの軸線上に、操作工具７０、７１の先端部７０Ａ、７１Ａを挿入する工具挿入孔８０、８１が設けられている。
一方、操作工具７０、７１は、先端部７０Ａ、７１Ａが上下調整用回転軸５４、及び左右調整用回転軸６０に係合しつつ、把持部である柄７０Ｂ、７１Ｂが外部灯体２の外側に位置する長さに棒状に延びて形成されている。
これにより、作業者は、内部灯体２０を外部灯体２から引き出さずとも、操作工具７０、７１の先端部７０Ａ、７１Ａを外部灯体２の工具挿入孔８０、８１から挿入して上下調整用回転軸５４、及び左右調整用回転軸６０に係合させることで、これら上下調整用回転軸５４、及び左右調整用回転軸６０を回転操作できる。
【００４０】
紫外線照射装置１において、図２に示すように、外部灯体２には、工具挿入孔８０、８１から挿入された操作工具７０、７１の先端部７０Ａ、７１Ａのそれぞれを、上下調整用回転軸５４、及び左右調整用回転軸６０に案内するガイド８４、８６が設けられている。これらガイド８４、８６は、工具挿入孔８０、８１から上下調整用回転軸５４、及び左右調整用回転軸６０の先端部７０Ａ、７１Ａの近くまで延びる筒状部材である。
【００４１】
これらガイド８４、８６によって、操作工具７０、７１の先端部７０Ａ、７１Ａがスムーズに上下調整用回転軸５４、及び左右調整用回転軸６０に向けて案内される。また、これらガイド８４、８６が筒状なので、案内中は先端部７０Ａ、７１Ａの周囲がガイド８４、８６によって包囲され、高電圧の点灯電圧が印加されている配線２８やランプ給電用碍子２６、２６と、操作工具７０、７１の先端部７０Ａ、７１Ａとの接触が防止される。
【００４２】
また上述のように、２軸調整機構４４と、紫外線ランプ２２との間は絶縁材４９によって電気的に絶縁されている。したがって、紫外線ランプ２２の点灯中に、操作工具７０、７１の先端部７０Ａ、７１Ａが２軸調整機構４４の上下調整用回転軸５４、及び左右調整用回転軸６０に接続された場合でも、紫外線ランプ２２に印加されている高電圧の点灯電圧が２軸調整機構４４を通じて操作工具７０、７１に加わることもない。
【００４３】
このように、本実施形態の紫外線照射装置１は、外部灯体２に内部灯体２０を収めたままの状態で、操作工具７０、７１によって２軸調整機構４４の上下調整用回転軸５４、及び左右調整用回転軸６０を操作可能に構成されており、さらに、操作工具７０、７１の先端部７０Ａ、７１Ａと、外部灯体２の中の高電圧個所との接触を防止する構成となっている。
したがって、作業者は、内部灯体２０に通電され紫外線ランプ２２が点灯した状態でも、操作工具７０、７１を外部灯体２に挿入して紫外線ランプ２２の位置を調整することができる。
【００４４】
かかるランプ位置調整作業は、例えば紫外線ランプ２２の交換等で紫外線ランプ２２の位置が変化し、被照射面において、所定の光学特性が得られていない場合に行われる。勿論、ワークの材料や紫外線照射の目的が変わる等して、被照射面に求める光学特性の所定値自身が変わった場合にもランプ位置調整作業が行われる。
【００４５】
図５は、ランプ位置調整の作業手順のフローチャートである。
同図に示すように、作業者は、紫外線ランプ２２を点灯し（ステップＳ１）、当該紫外線ランプ２２の点灯状態（放射光量等）が安定するまで待つ（ステップＳ２）。次いで作業者は、図１、及び図２に示すように、ワークが配置される被照射面の面内を照度センサ９０で走査し、当該面内の照度を測定する（ステップＳ３）。
【００４６】
この測定結果により、所定の光学特性が得られてない場合（ステップＳ４：ＮＯ）、作業者は、操作工具７０、７１を外部灯体２に挿入し、２軸調整機構４４の上下調整用回転軸５４、及び左右調整用回転軸６０の各々を調整する（ステップＳ５）。このときの上下調整用回転軸５４、及び左右調整用回転軸６０の調整量は、ステップＳ３の測定結果に基づき適宜に決定される。また、ステップＳ３の測定結果によっては、上下調整用回転軸５４、及び左右調整用回転軸６０のいずれか一方のみが調整されることは勿論である。
かかる調整の後、作業者は、処理手順をステップＳ３に戻し、被照射面の面内の照度の測定を行い、所定の光学特性が得られまで、ステップＳ３〜ステップＳ５を繰り返し実行する。
【００４７】
このように、この紫外線照射装置１では、ランプ調整の度に、内部灯体２０を外部灯体２から引き出す必要が無いため、ランプ調整作業が容易になる。これに加え、内部灯体２０に通電し紫外線ランプ２２を点灯させた状態で、ランプ調整作業を行うことができるので、ランプ消灯後のアフタークールに要する待ち時間、及びランプ点灯時のランプ安定化までの待ち時間が無くなる。これにより、ランプ調整の作業時間を大幅に短縮できる。
【００４８】
以上説明したように、本実施形態によれば、次のような効果を奏する。
【００４９】
すなわち、本実施形態に係る紫外線照射装置１は、２軸調整機構４４が操作工具７０、７１によって操作可能に構成されており、外部灯体２には、２軸調整機構４４に対応する位置に、外部灯体２の外から上記２軸調整機構４４まで延びる操作工具７０、７１を挿入する工具挿入孔８０、８１が設けられている。
これにより、作業者は、内部灯体２０を外部灯体２から引き出さずとも、操作工具７０、７１の先端部７０Ａ、７１Ａを外部灯体２の工具挿入孔８０、８１から挿入して２軸調整機構４４を操作できる。
したがって、外部灯体２を引き出す手間、及び時間が不要となるので、ランプ位置の調整作業が容易となり、また調整作業に要する時間も短縮される。
【００５０】
また本実施形態では、外部灯体２には、操作工具７０、７１の先端部７０Ａ、７０Ｂを包囲しながら２軸調整機構４４に向けて案内する筒状のガイド８４、８６が設けられている。
これにより、これらガイド８４、８６によって、操作工具７０、７１の先端部７０Ａ、７１Ａがスムーズに２軸調整機構４４に向けて案内される。また、これらガイド８４、８６が筒状なので、案内中は先端部７０Ａ、７１Ａの周囲がガイド８４、８６によって包囲されることとなり、外部灯体２の中の高電圧の点灯電圧が印加されている箇所と、操作工具７０、７１の先端部７０Ａ、７１Ａとの接触を防止できる。
【００５１】
また本実施形態では、２軸調整機構４４が紫外線ランプ２２との間を電気的に絶縁する絶縁材４９を備えている。
２軸調整機構４４が紫外線ランプ２２から電気的に絶縁されているので、紫外線ランプ２２の点灯中に、操作工具７０、７１の先端部７０Ａ、７１Ａが２軸調整機構４４に接続された場合でも、紫外線ランプ２２に印加されている高電圧の点灯電圧が２軸調整機構４４を通じて操作工具７０、７１に加わることがない。
【００５２】
また本実施形態では、２軸調整機構４４は、紫外線ランプ２２から被照射面までの距離を変化させる上下方向Ｂ、及び、被照射面までの距離を変えずに紫外線ランプ２２と、その両側に位置する反射鏡２４までの距離を変化させる左右方向Ｃに、紫外線ランプ２２を移動する。
紫外線ランプ２２を上下方向Ｂに移動することで、被照射面における照度分布や照射範囲を可変できる。また、紫外線ランプ２２を左右方向Ｃに移動することで、反射鏡２４の光学設計軸（例えば焦点を含む上下方向Ｂの軸）からの紫外線ランプ２２の位置ずれを補正することができ、この位置ずれによる被照射面での照度ムラ等を効果的に抑えることができる。
【００５３】
上述した実施形態は、あくまでも本発明の一態様を例示したものであって、本発明の趣旨を逸脱しない範囲において任意に変形、及び応用が可能である。
【００５４】
例えば、上述した実施形態では、紫外線ランプ２２の位置を調整する調整機構として、紫外線ランプ２２を、上下方向Ｂ、及び左右方向Ｃの２軸に移動する２軸調整機構４４を説明した。しかしながら、これに限らず、調整機構は、上下方向Ｂ、又は左右方向Ｃのいずれか一方に移動する機構でもよい。また、調整機構は、３軸以上のそれぞれの方向に移動する機構でもよい。
【００５５】
上述した実施形態では、紫外線ランプ２２を収容する内部灯体２０を、外部灯体２から取出す取出構造として、外部灯体２から内部灯体２０を長軸方向Ａに引き出す構造を説明した。しかしながら、取出構造は、例えば、外部灯体２の下方や側方から内部灯体２０が取り出される構造でもよい。
【００５６】
上述した実施形態では、紫外線照射装置１が液晶パネルの光配向処理に用いられる場合を説明した。しかしながら、紫外線照射装置１は、紫外線の照射によって硬化する紫外線硬化性樹脂の硬化処理といった、他の任意の紫外線照射処理に用いることもできる。
【００５７】
上述した実施形態では、照射装置の一例として、紫外線を照射する紫外線照射装置を例示したが、本発明の照射装置が照射する光の波長は、例えば可視光域等、他の波長であってもよい。
【符号の説明】
【００５８】
１  紫外線照射装置（照射装置）
２  外部灯体（装置筐体）
４  偏光子ユニット
１０  電気接続箱
２０  内部灯体（ランプ収容体）
２１  仕切板
２２  紫外線ランプ（放電ランプ）
２４  反射鏡
２６  ランプ給電用碍子
２７  フィルタユニット
２８  配線
３６  灯体引出口
３８  ガイドレール
３９  ガイドローラ
４０  ランプ保持機構
４２  ランプホルダ
４４  ２軸調整機構（調整機構）
４８  ホルダ保持部材
４９  絶縁材
５４  上下調整用回転軸
６０  左右調整用回転軸
７０、７１  操作工具
８０、８１  工具挿入孔
８４、８６  ガイド
Ａ  長軸方向
Ｂ  上下方向（第１方向）
Ｃ  左右方向（第２方向）
【図１】
2018048828.tif 000003
【図２】
2018048828.tif 000004
【図３】
2018048828.tif 000005
【図４】
2018048828.tif 000006
【図５】
2018048828.tif 000007